(57)【要約】【課題】  装置の部品点数の増加を抑制しつつ、良好に蓋部の開閉状況を検出することができる原稿自動搬送装置を提供する。【解決手段】  ガイド部材６２は、蓋部に設けられており、コンタクトガラス１２との間で原稿Ｄをガイドする。ガイド用スプリング８２は、ガイド部材６２をコンタクトガラス１２に向けて付勢する。フィーラ部材８６は、ガイド部材６２の長さ方向の端部のうち回動軸６４から見て遠方側の端部付近に設けられる。センサ８５は、フィーラ部材８６の位置に応じた検出結果を出力する。これにより、ガイド用スプリング８２は、ガイド部材６２に付勢力を付与するだけでなく、蓋部の開閉状況を検出するために使用されるフィーラ部材８６の揺動動作にも利用でき、蓋部の開閉状況の検出用に別個のスプリングを設ける必要がない。【選択図】        図４
2007074399.tif 000002
【特許請求の範囲】
【請求項１】
搬送された原稿から画像データの読み取りを可能とする原稿自動搬送装置であって、
(a)  本体部に対して回動可能な蓋部に設けられており、搬送されつつ前記第１読取部で読み取られる原稿を、前記本体部に設けられたコンタクトガラスとの間でガイドするガイド部材と、
(b)  前記ガイド部材に設けられており、前記ガイド部材を前記コンタクトガラスに向けて付勢する弾性部材と、
(c)  前記弾性部材の付勢状況に応じて揺動するフィーラ部材の位置に基づいて、前記蓋部の開閉状況を検出する検出部と、
を備え、
前記フィーラ部材は、前記ガイド部材に設けられていることを特徴とする原稿自動搬送装置。
【請求項２】
請求項１に記載の原稿自動搬送装置において、
前記フィーラ部材は、前記ガイド部材の端部のうち、前記蓋部の回動軸から見て遠方の端部側に設けられていることを特徴とする原稿自動搬送装置。
【請求項３】
請求項１または請求項２に記載の原稿自動搬送装置において、
前記フィーラ部材は、前記ガイド部材の中心線のうち前記回動軸の軸方向と略直交する中心線付近に設けられていることを特徴とする原稿自動搬送装置。
【請求項４】
請求項１ないし請求項３のいずれかに記載の原稿自動搬送装置において、
(d)  前記ガイド部材に設けられており、前記コンタクトガラスと当接することによって前記コンタクトガラスとの間隔を規定する突起部、
をさらに備える原稿自動搬送装置。
【請求項５】
請求項４に記載の原稿自動搬送装置において、
前記フィーラ部材は、前記突起部の付近に設けられていることを特徴とする原稿自動搬送装置。
【請求項６】
請求項１ないし請求項５のいずれかに記載の原稿自動搬送装置において、
前記フィーラ部材は、前記ガイド部材と一体的に形成されていることを特徴とする原稿自動搬送装置。
【請求項７】
搬送された原稿から画像データの読み取りを可能とする原稿自動搬送装置であって、
(a)  本体部に対して回動可能な蓋部に設けられており、搬送されつつ前記第１読取部で読み取られる原稿を、前記本体部に設けられたコンタクトガラスとの間でガイドするガイド部材と、
(b)  前記ガイド部材に設けられており、前記ガイド部材を前記コンタクトガラスに向けて付勢する弾性部材と、
(c)  前記弾性部材の付勢状況に応じて揺動可能とされており、前記蓋部の固定側に設けられたフィーラ部材との位置関係に基づいて、前記蓋部の開閉状況を検出する検出部と、
を備え、
前記検出部は、前記ガイド部材に設けられていることを特徴とする原稿自動搬送装置。
【請求項８】
請求項１ないし請求項７のいずれかに記載の原稿自動搬送装置において、
(e)  前記蓋部に設けられており、原稿の主面のうち前記第１読取部によって読み取られた面と逆側の面の画像データを読み取る第２読取部、
をさらに備えることを特徴とする原稿自動搬送装置。
【発明の詳細な説明】
【技術分野】
【０００１】
搬送させられた原稿から画像データの読み取りを可能とする原稿自動搬送装置に関するもので、特に、蓋部の開閉状況の検出手法の改良に関する。
【背景技術】
【０００２】
従来より、圧板（蓋部）の開閉状況を検出するために、開閉状況検出センサを設けた画像形成装置が知られている（例えば、特許文献１、２）。
【０００３】
【特許文献１】特開平０７−３１９３３２号公報
【特許文献２】特開平０９−２５１２２８号公報
【発明の開示】
【発明が解決しようとする課題】
【０００４】
しかし、特許文献１および２の装置では、圧板の開閉状況を検出するため専用の検出機構を設ける必要があった。そのため、装置の部品点数が増加し、その結果、装置の組立工数および製造コストが増加するという問題があった。
【０００５】
そこで、本発明では、装置の部品点数の増加を抑制しつつ、良好に蓋部の開閉状況を検出することができる原稿自動搬送装置を提供することを目的とする。
【課題を解決するための手段】
【０００６】
上記課題を解決するため、請求項１の発明は、搬送された原稿から画像データの読み取りを可能とする原稿自動搬送装置であって、本体部に対して回動可能な蓋部に設けられており、搬送されつつ前記第１読取部で読み取られる原稿を、前記本体部に設けられたコンタクトガラスとの間でガイドするガイド部材と、前記ガイド部材に設けられており、前記ガイド部材を前記コンタクトガラスに向けて付勢する弾性部材と、前記弾性部材の付勢状況に応じて揺動するフィーラ部材の位置に基づいて、前記蓋部の開閉状況を検出する検出部と、を備え、前記フィーラ部材は、前記ガイド部材に設けられていることを特徴とする。
【０００７】
また、請求項２の発明は、請求項１に記載の原稿自動搬送装置において、前記フィーラ部材は、前記ガイド部材の端部のうち、前記蓋部の回動軸から見て遠方の端部側に設けられていることを特徴とする。
【０００８】
また、請求項３の発明は、請求項１または請求項２に記載の原稿自動搬送装置において、前記フィーラ部材は、前記ガイド部材の中心線のうち前記回動軸の軸方向と略直交する中心線付近に設けられていることを特徴とする。
【０００９】
また、請求項４の発明は、請求項１ないし請求項３のいずれかに記載の原稿自動搬送装置において、前記ガイド部材に設けられており、前記コンタクトガラスと当接することによって前記コンタクトガラスとの間隔を規定する突起部、をさらに備える。
【００１０】
また、請求項５の発明は、請求項４に記載の原稿自動搬送装置において、前記フィーラ部材は、前記突起部の付近に設けられていることを特徴とする。
【００１１】
また、請求項６の発明は、請求項１ないし請求項５のいずれかに記載の原稿自動搬送装置において、前記フィーラ部材は、前記ガイド部材と一体的に形成されていることを特徴とする。
【００１２】
また、請求項７の発明は、搬送された原稿から画像データの読み取りを可能とする原稿自動搬送装置であって、本体部に対して回動可能な蓋部に設けられており、搬送されつつ前記第１読取部で読み取られる原稿を、前記本体部に設けられたコンタクトガラスとの間でガイドするガイド部材と、前記ガイド部材に設けられており、前記ガイド部材を前記コンタクトガラスに向けて付勢する弾性部材と、前記弾性部材の付勢状況に応じて揺動可能とされており、前記蓋部の固定側に設けられたフィーラ部材との位置関係に基づいて、前記蓋部の開閉状況を検出する検出部と、を備え、前記検出部は、前記ガイド部材に設けられていることを特徴とする。
【００１３】
また、請求項８の発明は、請求項１ないし請求項６のいずれかに記載の原稿自動搬送装置において、前記蓋部に設けられており、原稿の主面のうち前記第１読取部によって読み取られた面と逆側の面の画像データを読み取る第２読取部、をさらに備えることを特徴とする。
【発明の効果】
【００１４】
請求項１から請求項８に記載の発明によれば、ガイド部材をコンタクトガラスに向けて付勢する弾性部材を、蓋部の開閉状況を検出するために使用されるフィーラ部材の揺動動作にも利用できる。これにより、フィーラ部材の揺動動作用に別の弾性部材を設けることが不要となる。すなわち、蓋部の開閉状況の検出のための専用の検出機構（弾性部材）は、必要とされない。そのため、装置の部品点数を減少させることができ、装置の組立工数および製造コストを低減させることができる。
【００１５】
特に、請求項２に記載の発明によれば、フィーラ部材は、ガイド部材の遠方側の端部付近に設けられている。また、蓋部が回動させられると、この遠方側の端部は、ガイド部材の回動軸側の端部と比較して大きく回動する。これにより、フィーラ部材は蓋部の回動によって大きく回動することになる。そのため、検出部によって蓋部の開閉状況を正確に検出することができる。
【００１６】
特に、請求項３に記載の発明によれば、フィーラ部材は、ガイド部材の中心線のうち、回動軸の軸方向と略直交する中心線の付近に設けられている。そのため、蓋部の開閉状況を正確に検出することができる。
【００１７】
特に、請求項４に記載の発明によれば、蓋部が閉鎖されて突起部がコンタクトガラスと当接することにより、ガイド部材とコンタクトガラスとの間隔を所定値とすることができ、搬送される原稿を良好にガイドすることが可能となる。そのため、検出部によって取得される検出結果に基づいて、蓋部の開閉状況および原稿のガイド状況の確認処理を、同時に実行することが可能となる。また、第１読取部によって良好に画像データを読み取ることができる。
【００１８】
特に、請求項５に記載の発明によれば、フィーラ部材は突出部付近に設けられている。そのため、フィーラ部材の揺動に基づく開閉状況を検出することにより、ガイド部材による原稿のガイド状況をさらに良好に検出できる。
【００１９】
特に、請求項６に記載の発明によれば、ガイド部材とフィーラ部材とを１つの部品とすることができるため、装置の組立工数および製造コストを低減させることができる。
【発明を実施するための最良の形態】
【００２０】
以下、図面を参照しつつ本発明の実施の形態について詳細に説明する。
【００２１】
＜１．複合機の構成＞
図１は、本発明の実施の形態における複合機１００のハードウェア構成の一例を示す斜視図である。図２は、複合機１００の機能構成の一例を示すブロック図である。また、図３は、蓋部６０が閉じられた状態での原稿自動搬送装置１付近の構成の一例を示す正面断面図である。なお、図１および以降の各図には、それらの方向関係を明確にすべく必要に応じて適宜、Ｚ軸方向を鉛直方向とし、ＸＹ平面を水平面とするＸＹＺ直交座標系を付している。
【００２２】
複合機１００は、スキャナ、プリンタ、複写機、ファクシミリ、またはこれらの機能を複合させた複合機である。図１ないし図３に示すように、複合機１００は、主として、原稿自動搬送装置１と、読取走査装置１３と、密着型イメージセンサ１６と、を備える。
【００２３】
原稿自動搬送装置１は、図１に示すように、蓋部６０側に設けられており、原稿Ｄを搬送させつつ読取走査装置１３および密着型イメージセンサ１６（図３参照）により、原稿Ｄの片面または両面から画像データの読み取りを可能とする装置である。
【００２４】
すなわち、原稿載置部２に載置された原稿Ｄは、蓋部６０が閉じられた状態で、ガイド部材６２とコンタクトガラス１２との間に搬送される。次に、搬送させられる原稿Ｄの主面のうちコンタクトガラス１２側の主面から反射された光が、読取走査装置１３で検知されて、原稿Ｄの画像データが読み取られる。そして、読み取られた画像データは、例えば、画像メモリ３６（図２参照）に格納される。
【００２５】
また、原稿Ｄの両面から画像データが読み取られる場合には、読取走査装置１３によって読み取られた面と逆側の面の画像データが、密着型イメージセンサ１６によって読み取られる。図３に示すように、密着型イメージセンサ１６は、蓋部６０に設けられている。そして、図２に示すように、読み取られた画像データは、読取走査装置１３の場合と同様に、例えば、画像メモリ３６に格納される。
【００２６】
ここで、蓋部６０と本体部７０とは、図１に示すように、ヒンジ部６３によって連結されており、蓋部６０は、本体部７０に対して回動軸６４を中心として矢印ＡＲ１方向に回動可能とされている。そのため、蓋部６０は、この回動運動により開閉可能とされている。
【００２７】
また、本体部７０に配設された読取走査装置１３は、原稿ガラス１５に沿ってＸ軸方向に往復運動可能とされている。また、蓋部６０側には、蓋部６０が閉じられた状態において原稿ガラス１５に載置された原稿を押圧する押え部材６５が設けられている。そのため、原稿ガラス１５上に原稿が載置され、蓋部６０が閉じられるとともに、読取走査装置１３が原稿ガラスに沿って移動させられることにより、原稿ガラス１５に載置された原稿から画像データを読み取ることができる。このように、読取走査装置１３は、フラットベッドスキャナ（ＦＢＳ）にも兼用できるように構成されている。
【００２８】
なお、原稿自動搬送装置１の詳細なハードウェア構成については後述する。
【００２９】
モデム４２（図２参照）は、画像メモリ３６に格納されたデジタルデータ（画像データ）を音声信号に変換したり、複合機１００の外部から送信される音声データをデジタルデータに変換する。ＮＣＵ４１は、公衆電話交換回線網に複合機１００を接続する際に必要となる機器であり、発着信やダイヤル制御を行う。
【００３０】
記録部５０は、画像メモリ３６に格納された画像データに対して所定の画像処理（例えば、スムージングや解像度変換等の処理）を施し、処理後の画像データを印刷部（図示省略）に出力する。これにより、画像メモリ３６の画像データに基づいて、印刷用紙に所定の文字や線画が印刷される。
【００３１】
表示部５１は、いわゆる液晶ディスプレイによって構成されており、指や専用のペンで画面に触れることにより、画面上の位置を指定することができる「タッチパネル」としての機能を有する。したがって、複合機１００の使用者（以下、単に「使用者」と呼ぶ）は、表示部５１に表示された内容に基づき、表示部５１の「タッチパネル」機能を使用した指示を行うことにより、複合機１００に対して所定の動作を実行させることができる。このように、表示部５１は、複合機１００に所定のデータの入力を可能とする入力部としても使用される。
【００３２】
操作部５２は、いわゆるキーパッドによって構成される入力部である。使用者は、表示部５１の表示内容に基づいた入力作業を行うことにより、複合機１００に対して所定の動作を実行させることができる。
【００３３】
ＲＡＭ３２は、読み書き自在のメモリであり、例えば、原稿自動搬送装置１による原稿搬送に関する情報が格納される。また、画像メモリ３６は、読み書き自在のメモリであり、原稿自動搬送装置１やモデム４２を介して複合機１００に入力された画像データが格納される。
【００３４】
ＲＯＭ３３は、読出し専用メモリーであり、ＭＰＵ（Micro Processing Unit）３１は、ＲＯＭ３３に格納されたプログラムに従った制御を実行する。また、ＭＰＵ３１は、ＲＡＭ３２、ＲＯＭ３３、画像メモリ３６、および原稿自動搬送装置１等と信号線３５を介して電気的に接続される。したがって、ＭＰＵ３１は、このプログラムに従って、原稿自動搬送装置１による原稿の搬送処理や画像データの読取処理等を所定のタイミングで実行できる。
【００３５】
なお、本実施の形態において、複合機１００の動作を制御するプログラムはＲＯＭ３３に格納されているが、これに限定されるものでない。例えば、読み書き自在の不揮発性メモリであるフラッシュメモリに、当該プログラムを格納してもよい。
【００３６】
＜２．原稿自動搬送装置の構成＞
ここでは、原稿自動搬送装置１について詳説する。原稿自動搬送装置１は、いわゆるＡＤＦ（Auto Document Feeder）であり、複数の原稿を連続して自動読み取り可能な装置である。図３に示すように、原稿自動搬送装置１は、主として、原稿載置部２と、ピックアップローラ３と、原稿分離部４と、ガイド部材６２と、を備える。
【００３７】
原稿載置部２は、原稿供給トレイ２ｂを有しており、図３に示すように、この原稿供給トレイ２ｂには、１又は複数の読み取り原稿Ｄが載置される。ここで、原稿供給トレイ２ｂは、原稿自動搬送装置１から着脱自在に設けられている。また、原稿供給口部２ａに原稿Ｄを供給可能とするため、原稿供給トレイ２ｂは、原稿供給口部２ａ側に向かって下方に傾斜するように装着されている。
【００３８】
ピックアップローラ３は、原稿供給トレイ２ｂに載置された原稿Ｄを原稿分離部４側に繰り入れるローラであり、図３に示すように、原稿供給口部２ａの上部付近に配設される。
【００３９】
原稿分離部４は、主として、分離ローラ４ａと、分離パッド４ｂと、圧縮スプリング４ｃとを有し、ピックアップローラ３によって原稿自動搬送装置１内に繰り入れられた原稿Ｄを１枚ずつ分離して搬送する。図３に示すように、原稿分離部４は、原稿Ｄの搬送方向から見てピックアップローラ３の下流側に配設される。
【００４０】
分離パッド４ｂは、圧縮スプリング４ｃによって分離ローラ４ａに向けて付勢されている。また、分離ローラ４ａの周体と分離パッド４ｂの原稿Ｄ側の面とは、摩擦係数において差異を有する。これにより、分離ローラ４ａと分離パッド４ｂとの間に原稿Ｄが供給されると、原稿Ｄは、この摩擦係数の差異のため、分離ローラ４ａ側のものから１枚ずつ取り出されて給送される。
【００４１】
次に、原稿分離部４によって１枚ずつ分離された原稿Ｄは、第１搬送ローラ６、レジストローラ７、第２搬送ローラ８の駆動により、略Ｕ字形状に形成された原稿搬送路５に沿って搬送される。そして、原稿Ｄは、ガイド部材６２とコンタクトガラス１２に挟まれた第１の読取ポイントＰ１に到達する。
【００４２】
図４は、蓋部６０が開放されている場合におけるガイド部材６２付近の構成の一例を示す側面図である。図５は、蓋部６０が閉鎖されている場合におけるガイド部材６２付近の構成の一例を示す側面図である。また、図６は、ガイド部材６２付近の構成の一例を示す上面図である。
【００４３】
ガイド部材６２は、蓋部６０に設けられ、回動軸６４と略直交する方向に延伸する部材であり、例えば、樹脂や金属によって形成されている。ガイド部材６２は、蓋部６０が閉鎖された状態（図５参照）において、本体部７０のコンタクトガラス１２との間で原稿Ｄをガイドする。
【００４４】
また、ガイド部材６２の長さ方向の端部付近には、突起部８１（８１ａ、８１ｂ）が配設されている。図４および図５に示すように、突起部８１は、ガイド部材６２の主面のうちコンタクトガラス１２側の面に配設される。また、図６に示すように、突起部８１は、ガイド部材６２の長さ方向の中心線であって、回動軸６４の軸方向と略直交する仮想中心線８７付近に設けられている。
【００４５】
これにより、蓋部６０が閉鎖されると、突起部８１はコンタクトガラス１２と当接し、ガイド部材６２とコンタクトガラス１２との間隔が所定値に規定される。そのため、ガイド部材６２とコンタクトガラス１２との間を搬送される原稿Ｄが上下にばたつくことを抑制することができ、読取走査装置１３による画像データの読取処理を良好に実行することができる。
【００４６】
なお、図４および図５に示すように、突起部８１は、ガイド部材６２と別体の部材とされているが、これに限定されるものでない。例えば、ガイド部材６２と突起部８１とが一体的に形成されてもよい。これにより、原稿自動搬送装置１の組み付け工数を削減することができる。
【００４７】
ガイド用スプリング８２は、ガイド部材６２に設けられており、ガイド部材６２をコンタクトガラス１２に向けて付勢する弾性部材である。図４および図５に示すように、ガイド用スプリング８２は、蓋部６０の所定部位８３に固定されている。
【００４８】
したがって、蓋部６０が閉鎖されてガイド用スプリング８２が圧縮されると、ガイド部材６２の突起部８１とコンタクトガラス１２とは、ガイド用スプリング８２の付勢力によって確実に当接されることになる。そのため、蓋部６０が閉鎖された状態で、第１の読取ポイントＰ１を通過する原稿Ｄを確実にガイドすることができ、良好に画像データを取得することができる。
【００４９】
フィーラ部材８６は、ガイド部材６２の長さ方向（すなわち、回動軸６４と略垂直な方向）の端部のうち回動軸６４から見て遠方側の端部付近（遠方の端部側）に設けられている。図４および図５に示すように、フィーラ部材８６は、ガイド部材６２の主面のうちコンタクトガラス１２と逆側の面であって、突起部８１ｂの取り付け位置付近に配設される。さらに、フィーラ部材８６は、図６に示すように、ガイド部材６２の仮想中心線のうち、回動軸６４と略直交する仮想中心線８７の付近に設けられている。
【００５０】
したがって、ガイド用スプリング８２の付勢状況に応じてガイド部材６２が揺動すると、フィーラ部材８６は、ガイド部材６２と同様に揺動する。例えば、蓋部６０が閉鎖されてガイド用スプリング８２が圧縮されると、フィーラ部材８６は、所定部位８３に対して矢印ＡＲ２方向に相対的に移動する（図５参照）。一方、蓋部６０が開放されて圧縮による付勢力が開放されると、フィーラ部材８６は所定部位８３に対して矢印ＡＲ２と逆方向に相対的に移動する（図５参照）。
【００５１】
なお、図４および図５に示すように、フィーラ部材８６は、ガイド部材６２と別体の部材とされているが、これに限定されるものでなく、例えば、ガイド部材６２と突起部８１とを一体的に形成してもよい。これにより、原稿自動搬送装置１の組み付け工数を削減することができる。
【００５２】
センサ８５は、フィーラ部材８６の位置に応じた検出結果を出力するフォトセンサであり、蓋部６０の所定部位８８に固定されている。ここで、センサ８５は、発光素子８５ａの光が受光素子８５ｂによって受光される場合には「オン」状態となる。また、発光素子８５ａからの光が遮られて受光素子８５ｂに到達しない場合には「オフ」状態となる。
【００５３】
本実施の形態において、蓋部６０が閉鎖されて、ガイド部材６２の突起部８１がコンタクトガラス１２と当接し、突起部８１がコンタクトガラス１２に押圧されることによってフィーラ部材８６が矢印ＡＲ２方向に相対移動すると、センサ８５の発光素子８５ａからの光がフィーラ部材８６によって遮られることになり、センサ８５は「オフ」状態となる（図５参照）。一方、蓋部６０が開放されたフィーラ部材８６が矢印ＡＲ２と逆方向に相対移動すると、発光素子８５ａからの光が受光素子８５ｂに到達するため、センサ８５は「オン」状態となる（図４参照）。このように、センサ８５は、蓋部６０の開閉状況を検出する検出部として使用される。
【００５４】
第１の読取ポイントＰ１で画像データの読取処理が完了した原稿Ｄは、第３搬送ローラ９および排出ローラ１０の駆動により、第２の読取ポイントＰ２を経由させられた後、排出トレイ１１に排出される。
【００５５】
なお、原稿Ｄを両面読取する場合、読取走査装置１３によって読み取られた面と逆側の面の画像データが、第２の読取ポイントＰ２に配設された密着型イメージセンサ１６によって読み取られる。そして、画像データが読み取られた後、原稿Ｄは排出トレイ１１に排出される。
【００５６】
＜３．本実施の形態の原稿自動搬送装置の利点＞
以上のように、本実施の形態の原稿自動搬送装置１では、ガイド部材６２をコンタクトガラス１２に向けて付勢するガイド用スプリング８２を、蓋部６０の開閉状況を検出するために使用されるフィーラ部材８６の揺動動作にも利用できる。すなわち、原稿自動搬送装置１では、従来技術と異なり、蓋部６０の開閉状況の検出用に別個のスプリング（検出機構）を設ける必要がない。そのため、原稿自動搬送装置１の部品点数を減少させることができ、装置１の組立工数および製造コストを低減させることができる。
【００５７】
また、フィーラ部材８６は、上述のようにガイド部材６２の長さ方向の端部のうち回動軸６４から見て遠方側の端部に設けられている。さらに、蓋部６０が回動させられた場合、遠方側の端部は回動軸６４側の端部と比較して大きく回動させられることになる。そのため、センサ８５によって蓋部６０の開閉状況を正確に検出することができる。
【００５８】
また、フィーラ部材８６は、突起部８１ｂ付近に設けられている。これにより、センサ８５によって蓋部６０が閉鎖されていると判断される場合、突起部８１はコンタクトガラス１２に確実に当接されており、第１の読取ポイントＰ１を通過する原稿Ｄを確実にガイドすることができる。そのため、センサ８５の検出結果に基づいて蓋部６０の開閉状況の確認処理とガイド部材６２による原稿Ｄのガイド状況の確認処理とを同時に実行することができる。
【００５９】
また、フィーラ部材８６は、回動軸６４と略直交する仮想中心線８７付近に設けられており、突起部８１の当接状況を良好に検出することができる。そのため、蓋部６０の開閉状況を正確に検出することができる。
【００６０】
＜４．変形例＞
以上、本発明の実施の形態について説明してきたが、本発明は上記実施の形態に限定されるものではなく様々な変形が可能である。
【００６１】
（１）本実施の形態において、ガイド部材６２は、ガイド用スプリング８２によってコンタクトガラス１２に向けて付勢されているが、付勢力を付与する部材は、ガイド用スプリング８２に限定されるものでなく、例えば板バネであってもよい。
【００６２】
（２）また、本実施の形態において、センサ８５は蓋部６０の固定側である所定部位８８に設けられており、フィーラ部材８６はガイド部材６２に設けられているものとして説明したが、センサ８５およびフィーラ部材８６の配置はこれに限定されるものでない。例えば、センサ８５は、ガイド部材６２に設けられており、ガイド用スプリング８２の付勢状況に応じて揺動可能とされるとともに、フィーラ部材８６は、蓋部６０の固定側である所定部位８８に設けられてもよい。
【００６３】
この場合も、ガイド部材６２をコンタクトガラス１２に向けて付勢するガイド用スプリング８２を、蓋部６０の開閉状況を検出するために使用されるセンサ８５の揺動動作にも利用でき、センサ８５は、フィーラ部材８６との位置関係に基づいて、蓋部６０の開閉状況を検出することができる。蓋部の開閉状況を検出するために使用されるフィーラ部材の揺動動作にも利用できる。そのため、センサ８５の揺動動作用に別の弾性部材を設けることが不要となる。その結果、原稿自動搬送装置１の部品点数を減少させ、装置の組立工数および製造コストを低減させることができる。
【図面の簡単な説明】
【００６４】
【図１】本発明の実施の形態における複合機のハードウェア構成の一例を示す斜視図である。
【図２】本発明の実施の形態における複合機の機能構成の一例を示すブロック図である。
【図３】蓋部が閉じられた状態での原稿自動搬送装置付近の構成の一例を示す正面断面図である。
【図４】ガイド部材付近の構成の一例を示す側面図である。
【図５】ガイド部材付近の構成の一例を示す側面図である。
【図６】ガイド部材付近の構成の一例を示す上面図である。
【符号の説明】
【００６５】
１  原稿自動搬送装置
２  原稿載置部
１１  排出トレイ
１２  コンタクトガラス
１３  読取走査装置（第１読取部）
１５  原稿ガラス
１６  密着型イメージセンサ（第２読取部）
６０  蓋部
６２  ガイド部材
６３  ヒンジ部
６４  回動軸
７０  本体部
８１（８１ａ、８１ｂ）  突起部
８２  ガイド用スプリング
８５  センサ
８６  フィーラ部材
８７  仮想中心線
１００  複合機
Ｄ  原稿
【図１】
2007074399.tif 000003
【図２】
2007074399.tif 000004
【図３】
2007074399.tif 000005
【図４】
2007074399.tif 000006
【図５】
2007074399.tif 000007
【図６】
2007074399.tif 000008